(57)【要約】【課題】異なるタイムゾーンに属する読影機関に読影依頼を行う際に、読影レポートの完了日時を容易に把握することができるようにする。【解決手段】病院Ｄ１のクライアント端末１９より読影機関Ａ１に対する読影依頼情報を受け付けた際に、病院Ｄ１及び読影機関Ａ１がそれぞれ属するタイムゾーンを識別する。タイムゾーンの識別結果と、読影依頼情報の受付日時（日本国時間）とに基づき、読影機関Ａ１におけるレポート完了予定日時を算出する。レポート完了予定日時（Ａ国時間）の算出結果に基づき、病院Ｄ１が属するタイムゾーンを基準とする読影機関Ａ１のレポート完了日時を算出する。算出したレポート完了日時（Ｄ国時間）を含む依頼先納期情報を病院Ｄ１のクライアント端末１９に配信する。病院Ｄ１の担当者は、配信された依頼先納期情報に基づき、読影レポートの完了日時を容易に把握することができる。【選択図】図１３
2009075736.tif 000002
【特許請求の範囲】
【請求項１】
医療検査の検査依頼をするための依頼用端末、及び依頼用端末の属するタイムゾーンとは異なるタイムゾーンに属しており、検査依頼を受け付けるための受付用端末からなる複数の端末と、依頼用端末及び受付用端末にネットワークを介して接続され、依頼用端末から受付用端末へ発行される依頼情報を中継して、依頼用端末により指定された受付用端末へ配信するサーバとからなる医用ネットワークシステムにおいて、
前記サーバは、
前記依頼用端末及び受付用端末のタイムゾーン情報を格納するタイムゾーン情報格納手段と、
前記依頼用端末より前記検査依頼に関するアクセスを受け付けるアクセス受付手段と、
前記アクセス受付手段がアクセスを受け付けた際に、前記タイムゾーン情報格納手段を参照して、前記依頼用端末及び受付用端末がそれぞれ属するタイムゾーンを識別するタイムゾーン識別手段と、
前記タイムゾーン識別手段の識別結果に基づき、前記アクセス受付手段がアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出手段と、
前記変換時間情報をアクセス元の前記依頼用端末に配信する時間情報配信手段とを備えることを特徴とする医用ネットワークシステム。
【請求項２】
前記アクセス受付手段が前記検査依頼を受け付けたときに、前記タイムゾーン識別手段は、アクセス元の前記依頼用端末及び前記医療検査の依頼先の前記受付用端末がそれぞれ属するタイムゾーンを識別するとともに、前記納期算出手段は、前記依頼先の前記医療検査施設における前記時間情報を求めて前記変換時間情報に変換することを特徴とする請求項１記載の医用ネットワークシステム。
【請求項３】
前記アクセス受付手段が前記医療検査の依頼先を検索するための検索依頼を受け付けたときに、前記タイムゾーン識別手段は、アクセス元の前記依頼用端末及び全ての前記受付用端末がそれぞれ属するタイムゾーンを識別するとともに、前記納期算出手段は、全ての前記医療検査施設における前記時間情報を求めてそれぞれ前記変換時間情報に変換することを特徴とする請求項１または２記載の医用ネットワークシステム。
【請求項４】
前記納期算出手段は、前記アクセス受付日時を前記受付用端末の属するタイムゾーンを基準とする時間に変換した変換アクセス受付日時を求めて、求めた前記変換アクセス受付日時と、前記医療検査施設において前記検査結果報告に要する期間とから前記時間情報を求めることを特徴とする請求項１ないし３いずれか１項記載の医用ネットワークシステム。
【請求項５】
前記納期算出手段は、前記変換アクセス受付日時の時刻が前記医療検査施設ごとに予め定められている受付制限時刻を超えたときに、前記検査結果報告に要する期間に１日加えた期間に基づき前記時間情報を求めることを特徴とする請求項４記載の医用ネットワークシステム。
【請求項６】
前記サーバは、前記医療検査施設毎の詳細情報を格納した詳細情報格納手段と、前記依頼用端末からの要求に基づき、前記依頼用端末により指定された前記医療検査施設の詳細情報を要求元の前記依頼用端末へ配信する詳細情報配信手段とを備えていることを特徴とする請求項１ないし５いずれか１項記載の医用ネットワークシステム。
【請求項７】
前記詳細情報は、前記医療検査施設において前記医療検査を行う医師の医師情報と、前記医療検査施設において作成される前記結果報告の様式情報とを含むことを特徴とする請求項６記載の医用ネットワークシステム。
【請求項８】
前記医療検査には、モダリティによって撮影された医用画像の読影を行う読影依頼が含まれていることを特徴とする請求項１ないし７いずれか１項記載の医用ネットワークシステム。
【請求項９】
医療検査の検査依頼をするための依頼用端末、及び依頼用端末の属するタイムゾーンとは異なるタイムゾーンに属しており、検査依頼を受け付けるための受付用端末からなる複数の端末とネットワークを介して接続され、依頼用端末から受付用端末へ発行される依頼情報を中継して、依頼用端末により指定された受付用端末へ配信する検査依頼管理装置において、
前記依頼用端末及び受付用端末のタイムゾーン情報を格納するタイムゾーン情報格納手段と、
前記依頼用端末より前記検査依頼に関するアクセスを受け付けるアクセス受付手段と、
前記アクセス受付手段がアクセスを受け付けた際に、前記タイムゾーン情報格納手段を参照して、前記依頼用端末及び受付用端末がそれぞれ属するタイムゾーンを識別するタイムゾーン識別手段と、
前記タイムゾーン識別手段の識別結果に基づき、前記アクセス受付手段がアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出手段と、
前記変換時間情報をアクセス元の前記依頼用端末に配信する時間情報配信手段とを備えることを特徴とする検査依頼管理装置。
【請求項１０】
ネットワークを介して、医療検査の検査依頼をするための依頼用端末から、依頼用端末の属するタイムゾーンとは異なるタイムゾーンに属しており、検査依頼を受け付けるための受付用端末へ発行される依頼情報を中継して、依頼用端末により指定された受付用端末へ配信する検査依頼管理方法において、
前記依頼用端末及び受付用端末のタイムゾーン情報を格納するタイムゾーン情報格納ステップと、
前記依頼用端末から前記検査依頼に関するアクセスを受け付けた際に、前記タイムゾーン情報格納ステップにおいて格納された前記タイムゾーン情報を参照して、前記依頼用端末及び受付用端末がそれぞれ属するタイムゾーンを識別するタイムゾーン識別ステップと、
前記タイムゾーン識別ステップにおける識別結果に基づき、前記依頼用端末からのアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出ステップと、
前記変換時間情報をアクセス元の前記依頼用端末に配信する時間情報配信ステップとを有することを特徴とする検査依頼管理方法。
【発明の詳細な説明】
【技術分野】
【０００１】
本発明は、ネットワークを介して、検査依頼を受け付けるとともに、この検査依頼の依頼元とは異なるタイムゾーンに属している依頼先に検査依頼を行うための医用ネットワークシステム並びに検査依頼管理装置及びその管理方法に関するものである。
【背景技術】
【０００２】
ＣＴ装置やＭＲＩ装置などのモダリティで撮影された医用画像を観察して画像診断（読影）を専門に行う読影機関が知られている。読影機関には読影の専門医である読影医師が所属しており、読影医師は、依頼元の求めに応じて医用画像の読影を行い、その結果を記した読影レポートを作成し、これを依頼元に返送する。こうした読影機関は、地方の診療所など、スタッフに読影医師がいない小規模の医療施設に利用される。
【０００３】
こうした読影を支援するために、読影の依頼元の医療施設と、読影の依頼先の読影機関との遠隔地間で、読影依頼情報、医用画像、読影レポートなどの中継を行う医用ネットワークシステムが知られている。この医用ネットワークシステムは、医療施設及び読影機関にそれぞれ設置されたクライアント端末と、各クライアント端末とＩＰ（インターネットプロトコル）ネットワークなどを介して接続され、各クライアント端末からの要求に応じて種々のサービスを提供するサーバを有するデータセンタとからなる。
【０００４】
医用ネットワークシステムに参加している医療施設は、ククライアント端末よりサーバにアクセスして、モニタに表示される所定の読影依頼の入力画面に読影依頼情報の入力を行う。これにより、読影依頼情報がデータセンタに送信されるとともに、このデータセンタを中継して依頼先の読影機関へ読影依頼情報が配信される。読影依頼を受けた読影機関は、依頼元の診療施設よりデータセンタにアップロードされた医用画像をダウンロードして、読影レポートを作成する。そして、依頼元の医療施設は、読影機関よりデータセンタにアップロードされた読影レポートをダウンロードし、これを参照する。このようなサービスを利用することにより、医療施設は、例えば翌日の指定時間にまでに読影レポートを得ることができる。
【０００５】
ところで、近年では読影医師の数が不足しているため、医療施設側が希望する日時までに読影レポートを作成してくれる読影機関を日本国内で見つけられない場合がある。こうした問題を解決するため、データセンタと海外の読影機関のクライアント端末とをＩＰネットワークを介して接続することで、海外の読影機関を検索して読影依頼を行うことができる医用ネットワークシステムが知られている（特許文献１参照）。また、この医用ネットワークシステムを利用することで、読影医師の少ない国の医療施設から、日本国内のデータセンタを中継して他の国の優れた読影機関に読影依頼を行うこともできる。
【特許文献１】特開２００５−１７３７８５号公報
【発明の開示】
【発明が解決しようとする課題】
【０００６】
しかしながら、上記特許文献１に記載されているように、日本国内の医療施設から海外の読影機関に対して読影依頼を行った場合や、読影医師の少ない国の医療施設から日本国以外の国の読影機関に読影依頼を行った場合には、依頼元の医療施設と、依頼先の読影機関との間に時差が生じてしまう。このように両者の間に時差が生じていると、依頼元の医療施設は、読影レポートの作成完了（アップロード）日時が容易に分からなくなるという問題が生じる。
【０００７】
例えば、依頼先の読影機関の時差が依頼元の医療施設の時差よりも２時間進んでおり、読影機関が、所定の受付制限時刻までに受け付けた読影依頼に対する読影レポートを翌日の１２：００までにアップロードする場合を例に挙げて説明する。この場合には、読影機関が属するタイムゾーンを基準とする時間では翌日の１２：００がレポート完了予定日時となるが、医療施設の属するタイムゾーンを基準とする時間では翌日の１０：００がレポート完了予定日時となる。このように異なるタイムゾーンに属する読影機関に読影依頼を行う場合には、読影レポートの完了予定日時等を時差計算により求めるなどの運用で対処しなければならないといった問題が発生する。
【０００８】
本発明は上記問題を解決するためになされたものであり、異なるタイムゾーンに属する医療検査施設に医療検査の依頼を行った場合でも、その結果報告の日時等を容易に把握することができる医用ネットワークシステム並びに検査依頼管理装置及びその管理方法を提供することを目的とする。
【課題を解決するための手段】
【０００９】
上記問題を解決するため、本発明は、医療検査の検査依頼をするための依頼用端末、及び依頼用端末の属するタイムゾーンとは異なるタイムゾーンに属しており、検査依頼を受け付けるための受付用端末からなる複数の端末と、依頼用端末及び受付用端末にネットワークを介して接続され、依頼用端末から受付用端末へ発行される依頼情報を中継して、依頼用端末により指定された受付用端末へ配信するサーバとからなる医用ネットワークシステムにおいて、前記サーバは、前記依頼用端末及び受付用端末のタイムゾーン情報を格納するタイムゾーン情報格納手段と、前記依頼用端末より前記検査依頼に関するアクセスを受け付けるアクセス受付手段と、前記アクセス受付手段がアクセスを受け付けた際に、前記タイムゾーン情報格納手段を参照して、前記依頼用端末及び受付用端末がそれぞれ属するタイムゾーンを識別するタイムゾーン識別手段と、前記タイムゾーン識別手段の識別結果に基づき、前記アクセス受付手段がアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出手段と、前記変換時間情報をアクセス元の前記依頼用端末に配信する時間情報配信手段とを備えることを特徴とする。
【００１０】
前記アクセス受付手段が前記検査依頼を受け付けたときに、前記タイムゾーン識別手段は、アクセス元の前記依頼用端末及び前記医療検査の依頼先の前記受付用端末がそれぞれ属するタイムゾーンを識別するとともに、前記納期算出手段は、前記依頼先の前記医療検査施設における前記時間情報を求めて前記変換時間情報に変換することが好ましい。
【００１１】
前記アクセス受付手段が前記医療検査の依頼先を検索するための検索依頼を受け付けたときに、前記タイムゾーン識別手段は、アクセス元の前記依頼用端末及び全ての前記受付用端末がそれぞれ属するタイムゾーンを識別するとともに、前記納期算出手段は、全ての前記医療検査施設における前記時間情報を求めてそれぞれ前記変換時間情報に変換することが好ましい。これにより、医療検査の依頼を行う際に、各医療検査施設における納期を参照して依頼先を決定することができる。
【００１２】
前記納期算出手段は、前記アクセス受付日時を前記受付用端末の属するタイムゾーンを基準とする時間に変換した変換アクセス受付日時を求めて、求めた前記変換アクセス受付日時と、前記医療検査施設において前記検査結果報告に要する期間とから前記時間情報を求めることが好ましい。
【００１３】
前記納期算出手段は、前記変換アクセス受付日時の時刻が前記医療検査施設ごとに予め定められている受付制限時刻を超えたときに、前記検査結果報告に要する期間に１日加えた期間に基づき前記時間情報を求めることが好ましい。これにより、より正確な納期を求めることができる。
【００１４】
前記サーバは、前記医療検査施設毎の詳細情報を格納した詳細情報格納手段と、前記依頼用端末からの要求に基づき、前記依頼用端末により指定された前記医療検査施設の詳細情報を要求元の前記依頼用端末へ配信する詳細情報配信手段とを備えていることが好ましい。さらに、前記詳細情報は、前記医療検査施設において前記医療検査を行う医師の医師情報と、前記医療検査施設において作成される前記結果報告の様式情報とを含むことが好ましい。これにより、医療検査の依頼を行う際に、各医療検査施設の納期だけではなく、それぞれの詳細情報を参照して依頼先を決定することができる。
【００１５】
前記医療検査には、モダリティによって撮影された医用画像の読影を行う読影依頼が含まれていることが好ましい。医用画像の読影を依頼する場合には、ネットワークを介して医用画像を依頼先に配信することができるので、検査対象が依頼先へ配送されるまでの期間を考慮する必要がなく、納期を容易に算出することができる。
【００１６】
上記問題を解決するため、本発明は、医療検査の検査依頼をするための依頼用端末、及び依頼用端末の属するタイムゾーンとは異なるタイムゾーンに属しており、検査依頼を受け付けるための受付用端末からなる複数の端末とネットワークを介して接続され、依頼用端末から受付用端末へ発行される依頼情報を中継して、依頼用端末により指定された受付用端末へ配信する検査依頼管理装置において、前記依頼用端末及び受付用端末のタイムゾーン情報を格納するタイムゾーン情報格納手段と、前記依頼用端末より前記検査依頼に関するアクセスを受け付けるアクセス受付手段と、前記アクセス受付手段がアクセスを受け付けた際に、前記タイムゾーン情報格納手段を参照して、前記依頼用端末及び受付用端末がそれぞれ属するタイムゾーンを識別するタイムゾーン識別手段と、前記タイムゾーン識別手段の識別結果に基づき、前記アクセス受付手段がアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出手段と、前記変換時間情報をアクセス元の前記依頼用端末に配信する時間情報配信手段とを備えることを特徴とする。
【００１７】
上記問題を解決するため、本発明は、ネットワークを介して、医療検査の検査依頼をするための依頼用端末から、依頼用端末の属するタイムゾーンとは異なるタイムゾーンに属しており、検査依頼を受け付けるための受付用端末へ発行される依頼情報を中継して、依頼用端末により指定された受付用端末へ配信する検査依頼管理方法において、前記依頼用端末及び受付用端末のタイムゾーン情報を格納するタイムゾーン情報格納ステップと、前記依頼用端末から前記検査依頼に関するアクセスを受け付けた際に、前記タイムゾーン情報格納ステップにおいて格納された前記タイムゾーン情報を参照して、前記依頼用端末及び受付用端末がそれぞれ属するタイムゾーンを識別するタイムゾーン識別ステップと、前記タイムゾーン識別ステップにおける識別結果に基づき、前記依頼用端末からのアクセスを受け付けたアクセス受付日時から、前記受付用端末が設置されている医療検査施設の少なくとも１つにおける検査結果報告の納期に関する時間情報を求め、求めた前記時間情報を前記依頼用端末の属するタイムゾーンを基準とする時間に変換した変換時間情報を求める納期算出ステップと、前記変換時間情報をアクセス元の前記依頼用端末に配信する時間情報配信ステップとを有することを特徴とする。
【発明の効果】
【００１８】
本発明は、依頼用端末からのアクセスを受け付けた際に、タイムゾーン情報格納手段を参照して、依頼用端末及び受付用端末がそれぞれ属するタイムゾーンを識別するとともに、この識別結果とアクセス受付日時とに基づき、受付用端末が設置されている医療検査施設の少なくとも１つにおける検査結果報告の納期に関する時間情報を求め、求めた時間情報を依頼用端末の属するタイムゾーンを基準とする時間に変換した変換時間情報を、アクセス元の依頼用端末に配信するようにしたので、異なるタイムゾーンに属する医療検査施設に対して検査依頼を行った場合でも、その検査結果報告の納期を容易に把握することができる。これにより、医療検査を依頼する側では、結果報告の納期を時差計算等で求める必要がなくなるので、担当者の作業を減らすことができる。
【発明を実施するための最良の形態】
【００１９】
図１に示す医用ネットワークシステム２は、日本国内のデータセンタ１０と、海外の医療施設（Ａ〜Ｃ国内の読影機関、Ｄ〜Ｅ国内の病院）とをＩＰネットワーク１２を介して接続することで構成されており、オンラインで医用画像の読影依頼を行うシステムである。なお、日本国及びＡ〜Ｅ国はそれぞれ異なるタイムゾーンに属しているものとする。また、データセンタ１０に接続される医療施設の数は、特に限定はされない。
【００２０】
データセンタ１０は、複数の医療施設に対して、医療検査の予約のスケジュール管理サービス、複数の医療施設が保有する医療情報をバックアップして保管するデータバックアップサービス、症例データを蓄積して医療施設間で共有させる症例参照サービスなどのアプリケーションサービスを提供するセンタである。
【００２１】
ＩＰネットワーク１２は、例えば、ベースネットワークとして通信事業者が保有する専用の広域ＩＰ網を使用しており、この広域ＩＰ網上にＶＰＮ（Virtual Private Network）を構築した閉域のネットワークである。こうすることで、ＩＰネットワーク１２内を行き交うデータが、医用ネットワークシステム２の外部に漏洩することがないようにデータセキュリティを確保することができる。
【００２２】
Ａ国〜Ｃ国内には、それぞれ読影機関Ａ１〜Ｃ１がある。読影機関Ａ１〜Ｃ１は、依頼対象の医用画像の読影を行い、その結果を表す読影レポートを作成し、作成した読影レポートをデータセンタ１０にアップロードする。各読影機関Ａ１〜Ｃ１には、それぞれ通信インタフェース１５、クライアント端末１６等が設けられており、両者は読影機関Ａ１〜Ｃ１内のＬＡＮなどを介して互いに接続される。
【００２３】
通信インタフェース１５は、読影機関Ａ１〜Ｃ１のＬＡＮに対応した形式とＩＰネットワーク１２に対応した形式とでデータ形式を変換することにより、読影機関Ａ１〜Ｃ１のＬＡＮとＩＰネットワーク１２とを接続する。なお、この通信インタフェース１５は、例えば、モデムやルータなどであり、読影機関Ａ１〜Ｃ１のＬＡＮやＩＰネットワーク１２の規格に準拠して適宜選択される。
【００２４】
クライアント端末１６（受付用端末）は、例えば、パーソナルコンピュータやワークステーションなどによって構成されている。クライアント端末１６は、データセンタ１０と通信を行って、読影依頼の受付や、医用画像のモニタへの表示、読影レポートのデータセンタ１０へのアップロードなどに用いられる。
【００２５】
Ｄ〜Ｅ国には、それぞれ病院Ｄ１，Ｅ１がある。病院Ｄ１，Ｅ１は、医用画像の撮影のためのＣＴ（Computed Tomography）装置やＭＲＩ（Magnetic Resonance Imaging）装置などモダリティ機器１７を保有してはいるが、医用画像の読影を行う読影部門を有さない、または読影医師の人数が少ない中規模な医療施設である。従って、病院Ｄ１，Ｅ１が読影の依頼元となって、各読影機関Ａ１〜Ｃ１に対して読影依頼を行う。
【００２６】
病院Ｄ１，Ｅ１には、それぞれモダリティ機器１７、通信インタフェース１８、クライアント端末１９（依頼用端末）が設けられており、これらの各部は、例えば病院Ｄ１、Ｅ１内のＬＡＮなどを介して互いに接続される。通信インタフェース１８は、上述の通信インタフェース１５と基本的に同じものである。また、クライアント端末１９も、上述のクライアント端末１６と基本的に同じものであり、データセンタ１０への読影の依頼情報の送信や、医用画像のデータセンタ１０へのアップロードなどに用いられる。
【００２７】
モダリティ機器１７で撮影を行う場合には、患者氏名や、各医療施設固有の患者ＩＤなどが入力される。こうして入力された情報は、医用画像のデータファイル内に付帯情報として格納される。医用画像のデータファイルは、例えば、医用デジタル画像と通信に関する標準規格である、ＤＩＣＯＭ（Ｄｉｇｉｔａｌ  Ｉｍａｇｉｎｇ  ａｎｄ  ＣＯＭｍｕｎｉｃａｔｉｏｎｓ）規格のファイル形式で保存される。ＤＩＣＯＭ規格のファイルには、画像本体のデータを格納するエリアの他に、付帯情報を格納するエリアが設けられており、この付帯情報には、患者名、患者ＩＤ、性別、年齢などの患者情報や、撮影するモダリティ機器の種類、撮影対象となる撮影部位、撮影を行った医療施設名などの撮影情報が含まれる。また、医用画像がデータセンタ１０にアップロードされる際に、付帯情報には画像ＩＤが付与される。これら各項目のデータが格納されるデータフィールドはそれぞれタグとして定義されている。
【００２８】
データセンタ１０は、Ｄ，Ｅ国の病院Ｄ１，Ｅ１のクライアント端末１９から、Ａ〜Ｃ国の各読影機関Ａ１〜Ｃ１へ発行される読影依頼情報を中継して、依頼元が指定した読影機関Ａ１〜Ｃ１のクライアント端末１６に対して読影依頼情報を配信する。また、データセンタ１０は、依頼元の病院Ｄ１，Ｅ１からアップロードされた医用画像を格納するとともに、依頼先の読影機関Ａ１〜Ｃ１からアップロードされた読影レポートを格納する。また、データセンタ１０は、クライアント１６，１９からの要求に応じて、各種情報（完了通知情報、画像登録情報、納期情報等）を要求元のクライアント端末１６，１９に対して配信する。
【００２９】
データセンタ１０は、受付サーバ２０（サーバ、検査依頼管理装置）と、画像サーバ２１と、レポートサーバ２２と、通信インタフェース２３とから構成されている。これらの各部は、例えば、データセンタ１０内のＬＡＮなどによって接続されている。受付サーバ２０は、上述の読影依頼情報の中継及び各種情報の配信を行う。
【００３０】
画像サーバ２１は、病院Ｄ１，Ｅ１からデータセンタ１０にアップロードされた医用画像を格納する。医用画像は、画像ＩＤなどのＩＤ毎に整理分類して、種々の検索キーで検索が可能なように格納される。レポートサーバ２２は、読影機関Ａ１〜Ｃ１からアップロードされた読影レポートを格納する。読影レポートも、アップロード時に付与されたレポートＩＤ毎に整理分類して格納される。通信インタフェース２３は、各サーバ２０〜２２をＩＰネットワーク１２に接続するためのものであり、通信インタフェース１５，１８と基本的に同じものである。
【００３１】
図２に示すように、受付サーバ２０は、大別して制御部２５と、ストレージユニット２６とから構成されている。制御部２５には、受付サーバ２０の各部を統括的に制御するＣＰＵ２７が設けられている。ＣＰＵ２７は、制御部２５のＨＤＤ（図示せず）などから各種プログラムを読み出し、読み出したプログラムを逐次実行することにより、受付サーバ２０の各部を統括的に制御する。
【００３２】
図２〜図６に示すように、ストレージユニット２６には、読影受付リスト３０と、本発明のタイムゾーン情報格納手段を構成する各テーブル（病院テーブル３１、読影機関テーブル３２、地域テーブル３３、タイムゾーンテーブル３４）と、本発明の詳細情報格納手段を構成するレポート様式データベース（ＤＢ）３５、及び登録医師ＤＢ３６とが構築されている。
【００３３】
読影受付リスト３０（図３参照）には、依頼元の病院Ｄ１，Ｅ１のクライアント端末１９から受信した読影依頼情報が受付順に格納される。この読影依頼情報としては、例えば「受付番号」、「受付日時」、「患者氏名」、「画像ＩＤ」、「依頼元病院ＩＤ」、「依頼先読影機関ＩＤ」、「撮影部位」などが記録される。「受付番号」は、読影依頼情報の受付順番であり、「受付日時」は、データセンタ１０における読影依頼情報の受付日時であり、「患者氏名」は、医用画像を撮影された患者氏名である。
【００３４】
「画像ＩＤ」は、上述したように医用画像がデータセンタ１０にアップロードされる際に、後述するＣＰＵ２７（依頼受付部）により付与されるＩＤ番号である。「依頼元病院ＩＤ」は、読影の依頼元となる病院に予め割り当てられているＩＤ番号であり、「依頼先読影機関ＩＤ」は、読影の依頼先の読影機関に予め割り当てられているＩＤ番号である。「撮影部位」は、医用画像の読影を依頼する部位である。
【００３５】
病院テーブル３１（図２参照）には、「病院名」、「病院ＩＤ」、「地域ＩＤ」などが記録される。「病院名」は、各病院の名称であり、「病院ＩＤ」は、各病院のＩＤ番号である。「地域ＩＤ」は、各病院が属している国（地域）ごとに予め割り当てられているＩＤ番号である。
【００３６】
読影機関テーブル３２（図４参照）には、「読影機関名」、「読影機関ＩＤ」、「地域ＩＤ」、「納期」、「受付制限時刻」などが記録される。「読影機関名」は、各読影機関の名称であり、「読影機関ＩＤ」は、各読影機関のＩＤ番号である。「地域ＩＤ」は、各読影機関が属している国（地域）のＩＤ番号である。
【００３７】
「納期」は、各読影機関においてそれぞれ読影依頼を受け付けてから、読影レポートをアップロードするまでに要する期間である。例えば、読影機関Ａ１の納期である「１日（翌日１２：００）」は、Ａ国のタイムゾーンを基準とする時間（Ａ国時間）において、読影依頼を受け付けた日の翌日の１２：００までに読影レポートがアップロードされることを示している。
【００３８】
「受付制限時刻」は、各読影機関Ａ１〜Ｃ１において上述の納期で読影レポートのアップロードを可能な読影依頼の受付制限時刻である。この受付制限時刻を超えて読影依頼がなされると、読影レポートがアップロードされるまでに、上述の納期の期間にさらに１日を加えた期間を要する。例えば、読影機関Ａ１において１８：００より後に受け付けた読影依頼に対する読影レポートは、その翌々日の１２：００（Ａ国時間）までにアップロードされる。
【００３９】
地域テーブル３３（図２参照）には、「地域名」、「地域ＩＤ」、「タイムゾーンＩＤ」などが記録されている。「地域名」は、共通の標準時を使う地域全体の名称であり、ここでは、データセンタ１０、各医療施設がそれぞれ属している国の名称である。「地域ＩＤ」は、各国のＩＤ番号である。「タイムゾーンＩＤ」は、各国がそれぞれ属しているタイムゾーンごとに予め割り当てられているＩＤ番号である。なお、１つの国に複数のタイムゾーンがある場合には、各タイムゾーンに属する地域毎に「地域ＩＤ」を割り当てればよい。
【００４０】
タイムゾーンテーブル（図２参照）には、「地域ＩＤ」、「時差」などが記録されている。「時差」は、協定世界時（ＵＴＣ）と、各国が属するタイムゾーンの地方標準時との時差である。
【００４１】
レポート様式ＤＢ３５（図５参照）には、各読影機関Ａ１〜Ｃ１においてそれぞれ作成される読影レポートの様式を示す様式レポート３５ａが格納されている。各国Ａ〜Ｃの読影機関Ａ１〜Ｃ１では、それぞれ異なる様式で読影レポートを作成する。このため、詳しくは後述するが、各読影機関Ａ１〜Ｃ１のレポート様式をデータセンタ１０に予め格納しておくことで、依頼元の病院Ｄ１，Ｅ１は、読影依頼を行う前に各読影機関Ａ１〜Ｃ１のレポート様式を参照して、依頼先を決定することができる。なお、様式レポート３５ａは、各読影機関Ａ１〜Ｃ１において撮影部位ごとに作成されており、各レポート様式３５ａには、それぞれ予め割り当てられた様式ＩＤが付帯情報として本文に付与されている。
【００４２】
また、レポート様式ＤＢ３５には、ＤＢ内に格納されている様式レポート３５ａをリスト化した様式レポートリスト３５ｂが格納されている。この様式レポートリスト３５ｂには、「様式名」、「読影機関ＩＤ」、「撮影部位」、「様式ＩＤ」が記録されている。
【００４３】
登録医師ＤＢ３６（図６参照）には、各読影機関Ａ１〜Ｃ１にそれぞれ所属している読影医師を紹介するためのプロファイル３６ａと、各プロファイル３６ａをリスト化した登録医師リスト３６ｂとが格納されている。プロファイル３６ａには、読影医師の顔写真、経歴（勤務年数）、得意分野等の情報が含まれているとともに、それぞれ各読影医師ごとに予め割り当てられた医師ＩＤが付帯情報として本文に付与されている。これにより、詳しくは後述するが、読影依頼を行う前に各読影機関Ａ１〜Ｃ１の読影医師のプロファイル３６ａを参照して、読影の依頼先を決定することができる。登録医師リスト３６ｂには、「読影医師名」、所属先の「読影機関ＩＤ」、「医師ＩＤ」などが記録されている。
【００４４】
図２に戻って、ＣＰＵ２７は、制御部２５のＨＤＤ等にインストールされているプログラムを実行することにより、受付部３９（アクセス受付手段）、情報配信部４０（時間情報配信手段、詳細情報配信手段）、翻訳部４１、タイムゾーン識別部４２（タイムゾーン識別手段）、納期演算部４３（納期算出手段）として機能する。
【００４５】
受付部３９は、各クライアント端末１６，１９より読影依頼（医用画像のアップロードを含む）に関するアクセスを受け付けて、各種処理を実行する。具体的には、受付部３９は、病院Ｄ１，Ｅ１のクライアント端末１９より読影依頼情報を受信したら、受信した読影依頼情報を読影受付リスト３０に記録する。この際に、受付部３９により読影依頼情報に「受付番号」、「受付日時」、「画像ＩＤ」が付与される。同時に、受付部３９は、読影依頼情報とともにアップロードされる医用画像に対して同じ画像ＩＤを付与する。
【００４６】
また、受付部３９は、各読影機関Ａ１〜Ｃ１のクライアント端末１６より読影レポートがデータセンタ１０にアップロードされたときに、読影レポートに対してレポートＩＤを付与する。さらに、受付部３９は、読影レポートがアップロードされたときに、アップロードされた読影レポートに対応する読影依頼情報を読影受付リスト３０から削除する。
【００４７】
情報配信部４０は、病院Ｄ１，Ｅ１のクライアント端末１９より、受付部３９が読影依頼先の検索依頼の要求（アクセス）を受け付けた場合や、新たな読影依頼を行った依頼元のクライアント端末１９からのアクセスを受け付けた場合に、アクセス元のクライアント端末１９に対して納期情報を配信する。
【００４８】
納期情報は、読影の依頼元となる病院Ｄ１，Ｅ１に対して、読影レポートがアップロードされる予定日時（以下、レポート完了予定日時という）を通知するためのものである。この納期情報は、全ての読影機関Ａ１〜Ｃ１のレポート完了予定日時の情報を含む統合納期情報と、読影の依頼先に指定された読影機関Ａ１〜Ｃ１のみのレポート完了予定日時の情報を含む依頼先納期情報とからなる。なお、両納期情報で通知されるレポート完了予定日時は、後述する納期演算部４３により、依頼元の病院Ｄ１，Ｅ１がそれぞれ属するタイムゾーンを基準とする時間で算出される。
【００４９】
統合納期情報は、受付部３９に対して読影依頼先の検索依頼のアクセスを行ったアクセス元のクライアント端末１９に対して配信される。依頼先納期情報は、新たな読影依頼を行った依頼元のクライアント端末１９に対して配信される。
【００５０】
また、情報配信部４０は、受付部３９がクライアント端末１６，１９よりデータの配信要求（アクセス）を受け付けたときに作動して、要求元のクライアント端末１６，１９に対して最新のデータを配信する。これにより、依頼画面表示用ページデータ、依頼先選択用ページデータ、読影機関紹介ページデータ等が配信される。
【００５１】
依頼画面表示用ページデータは、クライアント端末１９において読影依頼画面（図１０参照）を表示するためのページデータであり、制御部２５のＨＤＤ等にインストールされている画面レイアウトデータに基づき作成される。依頼先選択用ページデータは、クライアント端末１９において読影依頼先選択画面（図１１参照）を表示するためのページデータであり、読影機関テーブル３２に記録されている情報に基づき作成される。読影機関紹介ページデータは、クライアント端末１９において読影機関紹介画面（図１２参照）を表示するためのページデータであり、レポート様式及び登録医師リスト３５ｂ，３６ｂ（図５，図６参照）に記録されている情報に基づき作成される。
【００５２】
また、情報配信部４０は、受付部３９がクライアント端末１６，１９よりデータの配信要求を受け付けたときに、読影受付リスト３０等が更新されている場合には、更新情報の配信も行う。これにより、更新情報として、依頼受領情報、完了通知情報、画像登録情報などが配信される。
【００５３】
依頼受領情報は、新しい読影依頼があったことを依頼先の読影機関Ａ１〜Ｃ１に通知するためのものであり、新たな依頼先となる読影機関Ａ１〜Ｃ１のクライアント端末１６が受付サーバ２０の受付部３９にアクセスした際に、アクセス元のクライアント端末１６に対して配信される。
【００５４】
完了通知情報は、読影レポートがアップロードされたことを依頼元の病院Ｄ１，Ｅ１に通知するためのものであり、依頼元の病院Ｄ１，Ｅ１のクライアント端末１９が受付部３９にアクセスした際に、アクセス元のクライアント端末１９に対して配信される。
【００５５】
画像登録情報は、読影を依頼された医用画像が画像サーバ２１に格納されたことを依頼先の読影機関Ａ１〜Ｃ１に通知するためのものであり、依頼先のクライアント端末１６が受付部３９にアクセスした際に、アクセス元のクライアント端末１６に対して配信される。
【００５６】
翻訳部４１は、詳しくは後述するが、病院Ｄ１，Ｅ１のクライアント端末１９が各ＤＢ３５，３６に格納されているレポート様式３５ａ、プロファイル３６ａをダウンロードする際に、それぞれＡ国〜Ｃ国の言語で記載されているレポート様式３５ａ及びプロファイル３６ａの本文をＤ国、Ｅ国の言語に翻訳する。これにより、病院Ｄ１，Ｅ１のクライアント端末１９において、それぞれＤ国、Ｅ国の言語でレポート様式３５ａ及びプロファイル３６ａが表示される。
【００５７】
タイムゾーン識別部４２は、受付部３９が病院Ｄ１，Ｅ１のクライアント端末１９で発行された読影依頼情報を受け付けたときに、依頼元の病院Ｄ１，Ｅ１（Ｄ国、Ｅ国）のタイムゾーンと、読影の依頼先に指定された読影機関Ａ１〜Ｃ１（Ａ国〜Ｃ国）のタイムゾーンとを識別する。具体的には図７に示すように、タイムゾーン識別部４２は、読影受付リスト３０に新たに記録された読影依頼情報の「依頼元病院ＩＤ」、「依頼先読影機関ＩＤ」を検索する。
【００５８】
次いで、タイムゾーン識別部４２は、病院テーブル３１内から「依頼元病院ＩＤ」と一致する「病院ＩＤ」に対応する「地域ＩＤ」を検索するとともに、読影機関テーブル３２内から「依頼先読影機関ＩＤ」と一致する「読影機関ＩＤ」に対応する「地域ＩＤ」を検索する。これにより、依頼元の病院Ｄ１，Ｅ１及び依頼先の読影機関Ａ１〜Ｃ１の「地域ＩＤ」が判別する。
【００５９】
依頼元及び依頼先の「地域ＩＤ」が判別したら、タイムゾーン識別部４２は、地域テーブル３３内から依頼元及び依頼先の「地域ＩＤ」に対応する「タイムゾーンＩＤ」をそれぞれ検索する。これにより、依頼元の病院Ｄ１，Ｅ１及び依頼先の読影機関Ａ１〜Ｃ１の「タイムゾーンＩＤ」が判別する。
【００６０】
このように依頼元及び依頼先の「タイムゾーンＩＤ」が判別したら、タイムゾーン識別部４２は、タイムゾーンテーブル３４内から依頼元及び依頼先の「タイムゾーンＩＤ」に対応する時差情報を検索する。これにより、依頼元の病院Ｄ１，Ｅ１及び依頼先の読影機関Ａ１〜Ｃ１がそれぞれ属するタイムゾーン（時差）を識別することができる。
【００６１】
また、タイムゾーン識別部４２は、受付部３９が病院Ｄ１，Ｅ１のクライアント端末１９より読影依頼先の検索依頼のアクセスを受け付けたときは、アクセス元の病院Ｄ１，Ｅ１が属するタイムゾーンと、全ての読影機関Ａ１〜Ｃ１がそれぞれ属するタイムゾーンとを識別する。この場合も図７で説明した通りの手順で行えばよいので、説明は省略する。
【００６２】
図２に戻って納期演算部４３は、受付部３９が病院Ｄ１，Ｅ１のクライアント端末１９より新たな読影依頼情報を受け付けたときに、依頼元の病院Ｄ１，Ｅ１がそれぞれ属するタイムゾーンを基準とする時間におけるレポート完了予定日時（依頼先納期情報）を算出する。このレポート完了予定日時の算出は、読影依頼情報の受付日時と、上述のタイムゾーン識別部４２による識別結果と、読影機関テーブル３２とに基づき行われる。以下、図８に示すフローチャートを用いて、病院Ｄ１から読影機関Ａ１に対して読影依頼が行われた場合におけるレポート完了予定日時の算出処理を例に挙げて説明する。なお、図８では、病院Ｄ１及び読影機関Ａ１のタイムゾーンが識別されるまでは図示を省略している。
【００６３】
最初に納期演算部４３は、受付サーバ２０（受付部３９）における読影依頼情報の受付日時（アクセス受付日時）から、読影機関Ａ１（Ａ国）のタイムゾーンを基準とする受付日時（変換アクセス受付日時）を算出する。具体的には、既知の受付サーバ２０（日本国）のタイムゾーン情報（＋９：００）と、先に求めた読影機関Ａ１のタイムゾーン情報（＋１０：００）とから、Ａ国が日本国よりも時差が１時間進んでいることが分かる。従って、受付サーバ２０の受付日時に１時間を加えることで、読影機関Ａ１における受付日時が算出される。
【００６４】
次いで、納期演算部４３は、読影機関Ａ１における受付日時の時刻と、読影機関テーブル３２における読影機関Ａ１の「受付制限時刻」とを比較して、受付日時の時刻が受付制限時刻（１８：００）を超えているか否かを判定する。そして、納期演算部４３は、受付制限時刻を越えていない場合には、読影機関テーブル３２の読影機関Ａ１の「納期」に基づき、受付日時の翌日の１２：００を読影機関Ａ１におけるレポート完了予定日時（時間情報）として算出する。また、納期演算部４３は、受付制限時刻を越えている場合には、受付日時の翌々日の１２：００を読影機関Ａ１におけるレポート完了予定日時として算出する。
【００６５】
読影機関Ａ１におけるレポート完了予定日時が算出されたら、納期演算部４３は、Ｄ国のタイムゾーンを基準とする病院Ｄ１におけるレポート完了予定日時を算出する。具体的には、先に求めた読影機関Ａ１のタイムゾーン情報（＋１０：００）と、病院Ｄ１のタイムゾーン情報（＋８：００）とから、Ｄ国はＡ国よりも時差が２時間遅れていることが分かる。このため、読影機関Ａ１におけるレポート完了予定日時から２時間引くことで、病院Ｄ１におけるレポート完了予定日時（変換時間情報）が算出される。この算出されたレポート完了予定日時は、上述の情報配信部４０により依頼先納期情報として、病院Ｄ１のクライアント端末１９に対して配信される。
【００６６】
また、納期演算部４３は、病院Ｄ１，Ｅ１のクライアント端末１９より、受付部３９が読影依頼先の検索依頼のアクセスを受け付けたときに、各読影機関Ａ１〜Ｃ１におけるレポート完了予定日時を算出する。次いで、納期演算部４３は、算出した各読影機関Ａ１〜Ｃ１のレポート完了予定日時のそれぞれから、アクセス元の病院Ｄ１，Ｅ１のタイムゾーンを基準とする各読影機関Ａ１〜Ｃ１のレポート完了予定日時を算出する。
【００６７】
このような各読影機関Ａ１〜Ｃ１のレポート完了予定日時の算出は、検索依頼の受付日時と、上述のアクセス元の病院Ｄ１，Ｅ１及び全ての読影機関Ａ１〜Ｃ１がそれぞれ属するタイムゾーンの識別結果と、読影機関テーブル３２とに基づき、上述の図８で説明した通りの手順で行われる。そして、算出された各読影機関Ａ１〜Ｃ１のレポート完了予定日時は、上述の情報配信部４０により統合納期情報として、アクセス元の病院Ｄ１，Ｅ１のクライアント端末１９に対して配信される。
【００６８】
図９に示すように、病院Ｄ１，Ｅ１のクライアント端末１９には、ＣＰＵ４６と、コンソール４７と、ストレージユニット４８とが設けられている。ＣＰＵ４６は、制御部２５のＣＰＵ２７と同様に、プログラムを逐次処理することによって、クライアント端末１９の各部を統括的に制御する。なお、読影機関Ａ１〜Ｃ１のクライアント端末１６も基本的に同じ構成である。
【００６９】
コンソール４７は、入力機器４９やモニタ５０などから構成されている。入力機器４９は、例えば、マウスやキーボードなどといった周知の入力デバイスであり、ユーザからの操作指示を受け付けて、その操作指示に応じた信号をＣＰＵ４６に入力する。モニタ５０は、ＣＰＵ４６の処理に応じて様々な画面を表示する。このモニタ５０には、例えば、ＣＲＴディスプレイや液晶ディスプレイなどの周知の表示装置が用いられる。
【００７０】
ストレージユニット４８には、データセンタ１０から配信される各種データ・情報を表示するＷｅｂブラウザ４８ａがインストールされている。このＷｅｂブラウザ４８ａを起動して、読影依頼用の読影依頼画面５０ａのＵＲＬを指定することで、Ｗｅｂブラウザ４８ａは、受付サーバ２０の受付部３９にアクセスして、依頼画面表示用ページデータの配信要求を行う。これにより、情報配信部４０から依頼画面表示用ページデータがアクセス元のクライアント端末１９に配信される。Ｗｅｂブラウザ４８ａは、配信された依頼画面表示用ページデータの記述に従って、読影依頼画面５０ａをモニタ５０に表示する。なお、Ｗｅｂブラウザ４８ａ（クライアント端末１９）は、定期的に受付サーバ２０の受付部３９にアクセスして、最新データの配信要求等を行う。
【００７１】
図１０に示すように、読影依頼画面５０ａには、入力ボックス５３と、読影依頼画像選択ボックス５４と、読影画像表示領域５５と、読影依頼先選択ボタン５６と、依頼ボタン５７と、キャンセルボタン５８とが設けられている。入力ボックス５３には、「患者名」、「性別」、「生年月日」、「撮影日」、「撮影部位」、「コメント」などの基本項目が入力される。
【００７２】
読影依頼画像選択ボックス５４は、読影を依頼する医用画像の選択に用いられる。この読影依頼画像選択ボックス５４の右端の逆三角形のマークをポインタ５９で指定してクリックすることで、各病院Ｄ１，Ｅ１で撮影され個々の病院の病院画像サーバ（図示せず）に格納されている医用画像のリストが、プルダウンメニューの形式で表示される。この中から読影を依頼する医用画像を選択すると、選択した医用画像が病院画像サーバからダウンロードされて、読影画像表示領域５５に表示される。
【００７３】
読影依頼先選択ボタン５６は、読影を依頼する読影機関Ａ１〜Ｃ１の選択に用いられる。この読影依頼先選択ボタン５６をポインタ５９で指定してクリックすると、Ｗｅｂブラウザ４８ａが、受付サーバ２０の受付部３９に対して読影依頼先の検索依頼のアクセスを行い、統合納期情報及び依頼画面表示用ページデータの配信を要求する。
【００７４】
読影依頼先の検索依頼が受付部３９で受け付けられると、タイムゾーン識別部４２により、アクセス元の病院Ｄ１，Ｅ１が属するタイムゾーンと、全ての読影機関Ａ１〜Ｃ１がそれぞれ属しているタイムゾーンとが識別される。次いで、納期算出部４３により、アクセス元の病院Ｄ１，Ｅ１のタイムゾーンを基準とする各読影機関Ａ１〜Ｃ１のレポート完了予定日時が算出される。これにより、情報配信部４０から統合納期情報と、依頼画面表示用ページデータとがアクセス元のクライアント端末１９に配信される。
【００７５】
図１１に示すように、Ｗｅｂブラウザ４８ａは、情報配信部４０から配信された依頼画面表示用ページデータに基づき、新たに読影依頼先選択画面５０ｂをポップアップ表示する。この読影依頼先選択画面５０ｂには、各読影機関Ａ１〜Ｃ１の概略情報を表示する読影機関一覧表６１が設けられている。この概略情報としては、「国名」、「読影機関名」、「レポート完了予定日時」、「受付制限時刻」等が表示される。
【００７６】
「レポート完了予定日時」には、情報配信部４０から配信された統合納期情報に基づき、アクセス元の病院Ｄ１，Ｅ１が属するタイムゾーンを基準とする各読影機関Ａ１〜Ｃ１のレポート完了予定日時が表示される。これにより、病院Ｄ１，Ｅ１の担当者は、読影依頼先選択画面５０ｂに表示されるレポート完了予定日時に基づき、読影機関Ａ１〜Ｃ１を選択することができる。
【００７７】
「受付制限時刻」には、アクセス元の病院Ｄ１，Ｅ１が属するタイムゾーンを基準とする各読影機関Ａ１〜Ｃ１の受付制限時刻が表示される。なお、図中に表示される時刻は、病院Ａ１の属するタイムゾーンを基準したものである。これら受付時刻は、上述のタイムゾーン識別部４２によるタイムゾーン識別結果と、読影機関テーブル３２に記録されている「受付制限時刻」（図４参照）とに基づき、例えば納期演算部４３などが算出する。これにより、アクセス元の病院Ｄ１，Ｅ１の担当者は、表示されているレポート完了予定日時に読影レポートを得る場合には、何時までに読影依頼を行えばよいかを容易に把握することができる。
【００７８】
また、読影機関一覧表６１の各読影機関Ａ１〜Ｃ１の概略情報の両端には、選択ボタン６２と参照ボタン６３とがそれぞれ設けられている。選択ボタン６２は、読影を依頼する読影機関Ａ１〜Ｃ１の決定に用いられる。
【００７９】
参照ボタン６３は、各読影機関Ａ１〜Ｃ１における読影医師及びレポート様式の紹介画面を表示するために用いられる。例えば読影機関Ａ１の参照ボタン６３をポインタ５９で指定してクリックすると、Ｗｅｂブラウザ４８ａは、受付サーバ２０の受付部３９にアクセスして、読影機関Ａ１の読影機関紹介ページデータの配信要求を行う。これにより、情報配信部４０から読影機関Ａ１の読影機関紹介ページデータがアクセス元のクライアント端末１９に配信される。
【００８０】
図１２に示すように、Ｗｅｂブラウザ４８ａは、情報配信部４０から配信された読影機関Ａ１の読影機関紹介ページデータに基づき、新たに読影機関Ａ１の読影機関紹介画面５０ｃをポップアップ表示する。読影機関紹介画面５０ｃには、読影医師一覧表６５とレポート様式一覧表６６が表示される。
【００８１】
読影医師一覧表６５には、読影機関Ａ１に所属する読影医師の氏名の一覧が表示される。そして、各読影医師の氏名の横に設けられている表示ボタン６８をポインタ５９で指定してクリックすると、Ｗｅｂブラウザ４８ａは、受付サーバ２０の受付部３９にアクセスして、選択された読影医師のプロファイル３６ａ（図６参照）の配信要求を行う。また、レポート様式一覧表６６には、読影機関Ａ１における撮影部位ごとのレポート様式の一覧が表示される。同様に撮影部位の横の表示ボタン６９をクリックすると、受付サーバ２０の受付部３９に対して、選択された撮影部位のレポート様式３５ａ（図５参照）の配信要求が行われる。
【００８２】
これらプロファイル３６ａ及びレポート様式３５ａの配信要求が受付部３９で受け付けられると、翻訳部４１は、選択された読影医師の医師ＩＤに対応するプロファイル３６ａを登録医師ＤＢ３６内から検索して、プロファイル３６ａの本文をアクセス元のＤ国、Ｅ国の言語に翻訳する。また、同様に翻訳部４１は、選択されたレポート様式の様式ＩＤに対応するレポート様式３５ａをレポート様式ＤＢ３５内から検索して、レポート様式３５ａの本文をアクセス元の言語に翻訳する。次いで、情報配信部４０は、翻訳されたプロファイル３６ａ及びレポート様式３５ａを、アクセス元のクライアント端末１９に配信する。Ｗｅｂブラウザ４８ａは、配信されたプロファイル３６ａ及びレポート様式３５ａに基づき、読影医師のプロファイル画面やレポート様式画面（図示せず）を表示する。
【００８３】
このように本実施形態では、各読影機関Ａ１〜Ｃ１ごとの読影医師のプロファイルやレポート様式を比較することができる。このため、読影依頼を行う病院Ｄ１，Ｅ１は、上述の読影依頼先選択画面５０ｂに表示されるレポート完了予定日時（図１１参照）に加えて、読影医師のプロファイルやレポート様式を考慮して、読影を依頼する読影機関Ａ１〜Ｃ１を決定することができる。そして、読影の依頼先として選択した読影機関Ａ１〜Ｃ１の選択ボタン６２（図１１参照）をポインタ５９で指定してクリックすると、読影を依頼する読影機関Ａ１〜Ｃ１が決定されて読影依頼先画面５０ｂが閉じる。
【００８４】
図１０に戻って、読影依頼先を決定したら、依頼ボタン５７をポインタ５９で指定してクリックする。これにより、読影依頼画面５０ａにおいて設定された情報に基づき、読影依頼情報が発行されて受付サーバ２０に送信され、読影受付リスト３０に記録される。また、これと同時に、読影画像表示領域５５に表示されている医用画像がデータセンタ１０にアップロードされて、画像サーバ２１に格納される。なお、読影依頼を中止する場合には、キャンセルボタン５８をクリックする。
【００８５】
図２に戻って、読影依頼情報が受付部３９で受け付けられると、上述したように、タイムゾーン識別部４２による依頼元及び依頼先のタイムゾーンの識別が行われた後、納期算出部４３より依頼元のタイムゾーンを基準とする依頼先のレポート完了予定日時が算出される。これにより、依頼元のクライアント端末１９に対して依頼先納期情報が配信される。Ｗｅｂブラウザ４８ａは、配信された依頼先納期情報を表示させる情報表示画面（図示せず）を表示させる。
【００８６】
次に図１４を用いて医用ネットワークシステム２及び受付サーバ２０の作用について説明を行う。なお、本説明では、病院Ｄ１から読影機関Ａ１に対して読影依頼を行う場合を例に挙げて説明を行う。
【００８７】
病院Ｄ１の担当者は読影依頼を行う際に、クライアント端末１９のＷｅｂブラウザ４８ａを起動して、モニタ５０に読影依頼画面５０ａを表示させる。次いで、読影依頼画面５０ａを見ながら入力ボックス５３に各種情報を入力するとともに、読影を依頼する医用画像の選択を行う。これらが完了したら、読影依頼先選択ボタン５６をクリックして、受付サーバ２０に対して読影依頼先の（１）検索依頼を行う。
【００８８】
検索依頼が受付部３９で受け付けられると、タイムゾーン識別部４２により、病院Ｄ１及び全ての読影機関Ａ１〜Ｃ１がそれぞれ属しているタイムゾーンが識別される。次いで、納期算出部４３により、病院Ｄ１のタイムゾーンを基準とする各読影機関Ａ１〜Ｃ１のレポート完了予定日時が算出される。これにより、情報配信部４０から（２）統合納期情報と依頼画面表示用ページデータとが病院Ｄ１のクライアント端末１９に配信されて、モニタ５０に読影依頼先選択画面５０ｂ（図１１参照）が表示される。
【００８９】
病院Ｄ１の担当者は、読影依頼先選択画面５０ｂに表示されるレポート完了予定日時（図１１参照）に基づき、読影を依頼する読影機関Ａ１〜Ｃ１を選択する。この際に、担当者は、必要に応じて参照ボタン６３をクリックして、各読影機関Ａ１〜Ｃ１の読影機関紹介画面５０ｃ（図１２参照）を表示させ、各読影機関Ａ１〜Ｃ１の読影医師のプロファイルやレポート様式を参照して読影機関Ａ１〜Ｃ１の選択を行う。
【００９０】
担当者は、読影機関Ａ１に読影依頼を行うことを決定したら、読影機関Ａ１の選択ボタン６２をクリックした後、読影依頼画面５０ａの依頼ボタン５７をクリックする。これにより、（３）読影依頼情報が受付サーバ２０に送信されて読影受付リスト３０に記録されるとともに、医用画像が画像サーバ２１に格納される。そして、読影機関Ａ１のクライアント端末１６より受付サーバ２０に対してアクセスが行われると、このクライアント端末１６に対して（４）依頼受領情報、画像登録情報が配信される。
【００９１】
また、読影依頼情報が受付サーバ２０（受付部３９）で受け付けられると、タイムゾーン識別部４２により、病院Ｄ１及び読影機関Ａ１がそれぞれ属しているタイムゾーンが識別される（図７参照）。次いで、納期算出部４３により、病院Ｄ１のタイムゾーンを基準とする読影機関Ａ１のレポート完了予定日時が算出される（図８参照）。そして、病院Ｄ１のクライアント端末１９より受付サーバ２０に対してアクセスが行われると、情報配信部４０から病院Ｄ１のクライアント端末１９に対して（５）依頼先納期情報が配信される。これにより、病院Ｄ１のクライアント端末１９のモニタ５０に依頼先納期情報を表示する情報表示画面（図示せず）が表示される。病院Ｄ１の担当者は、Ｄ国のタイムゾーンを基準とする読影機関Ａ１のレポート完了予定日時を把握することができる。
【００９２】
依頼先の読影機関Ａ１の担当者は、読影を依頼された（６）医用画像を画像サーバ２１からダウンロードし、この医用画像の読影を行って読影レポートを作成する。次いで、読影機関Ａ１の担当者は、作成した（７）読影レポートをデータセンタ１０にアップロードして、レポートサーバ２２に格納させる。これにより、一連の読影（医療検査）が終了して、対応する読影依頼情報が読影受付リスト３０から削除される。そして、病院Ｄ１のクライアント端末１９より受付サーバ２０に対してアクセスが行われると、情報配信部４０からクライアント端末１９に対して（８）完了通知情報が配信される。病院Ｄ１の担当者は、読影レポートをレポートサーバ２２からダウンロードし、これを参照する。
【００９３】
以上のように本発明は、異なるタイムゾーンに属する読影機関に対して読影の依頼を行う際に、読影の依頼元の病院が属するタイムゾーンを基準とする読影機関のレポート完了予定日時を算出して、算出したレポート完了予定日時に基づく納期情報（依頼先納期情報）を依頼元に通知するようにしたので、依頼元の病院と依頼先の読影機関との間に時差が生じていた場合でも、依頼元の担当者は、読影レポートのレポート完了予定日時を容易に把握することができる。これにより、依頼元の担当者は、読影レポートの完了予定日時等を時差計算等で求める必要がなくなるので、担当者の作業を減らすことができる。
【００９４】
なお、上記実施形態では、読影を依頼する病院Ｄ１，Ｅ１と、読影の依頼を受け付ける読影機関Ａ１〜Ｃ１と、データセンタ１０とがそれぞれ異なるタイムゾーンに属している場合を例に挙げて説明を行ったが、本発明はこれに限定されるものではなく、病院Ｄ１，Ｅ１のいずれか、または読影機関Ａ１〜Ｃ１のいずれかが、データセンタ１０と同じタイムゾーン１０に属していてもよい。
【００９５】
また、上記実施形態では、翻訳部４１により各読影機関Ａ１〜Ｃ１のレポート様式３５ａや読影医師のプロファイル３６ａをそれぞれアクセス元のＤ，Ｅ国の言語に翻訳するようにしているが、本発明はこれに限定されるものではない。例えば、予め日本国や他の各国Ａ〜Ｅ国の言語で作成されたレポート様式やプロファイルデータをそれぞれ各ＤＢ３５，３６に格納するようにしてもよい。さらに、翻訳部４１により読影機関Ａ１〜Ｃ１で作成された読影レポートをＤ，Ｅ国の言語に翻訳してもよい。
【００９６】
なお、上記実施形態では読影依頼画面５０ａで読影依頼を行うことで、医用画像も同時にデータセンタ１０にアップロードされる場合を例に挙げて説明を行ったが、本発明はこれに限定されるものではなく、読影依頼を行った後で医用画像のアップロードを行うようにしてもよい。
【００９７】
また、上記実施形態では、読影部門を備えていない中期規模の病院Ｄ１，Ｅ１が、読影機関Ａ１〜Ｃ１に対して読影依頼を行う場合を例に挙げて説明を行ったが、本発明はこれに限定されるものではなく、読影部門を備える大規模病院が、異なるタイムゾーンに属する読影機関や病院に読影依頼を行う場合にも本発明を適用することができる。
【００９８】
なお、上記実施形態では、本発明の医療検査として医用画像の読影を例に挙げて説明を行ったが、本発明はこれに限定されるものではなく、例えば病理サンプルの検査などの各種医療検査の検査依頼に本発明を適用することができる。なお、病理サンプルの検査を依頼する場合には、依頼元から発送された病理サンプルが依頼先に着くまでの期間を考慮して、上述のレポート完了日時を算出すればよい。
【図面の簡単な説明】
【００９９】
【図１】医用ネットワークシステムの構成を概略的に示す説明図である。
【図２】受付サーバの構成を概略的に示す機能ブロック図である。
【図３】読影受付リストの構成を概略的に示す説明図である。
【図４】読影機関テーブルの構成を概略的に示す説明図である。
【図５】レポート様式ＤＢの構成を概略的に示す説明図である。
【図６】登録医師ＤＢの構成を概略的に示す説明図である。
【図７】タイムゾーン識別部によるタイムゾーンの識別の手順を説明するための説明図である。
【図８】納期演算部によるレポート完了予定日時の算出の手順を示したフローチャートである。
【図９】クライアント端末の構成を概略的に示す機能ブロック図である。
【図１０】読影依頼画面の一例を示す説明図である。
【図１１】読影依頼先画面の一例を示す説明図である。
【図１２】読影機関紹介画面の一例を示す説明図である。
【図１３】異なるタイムゾーンに属する読影機関に対して読影依頼が行われた場合の受付サーバの処理手順を説明するための説明図である。
【符号の説明】
【０１００】
２  医用ネットワークシステム
１０  データセンタ
１６，１９  クライアント端末
２０  受付サーバ
２７  ＣＰＵ
２６  ストレージユニット
３０  読影受付リスト
３２  読影機関テーブル
３３  地域テーブル
３４  タイムゾーンテーブル
３５  レポート様式ＤＢ
３６  登録医師ＤＢ
３９  受付部
４０  情報配信部
４２  タイムゾーン識別部
４３  納期演算部
５０ａ  読影依頼画面
５０ｂ  読影依頼先選択画面
５０ｃ  読影機関紹介画面
【図１】
2009075736.tif 000003
【図２】
2009075736.tif 000004
【図３】
2009075736.tif 000005
【図４】
2009075736.tif 000006
【図５】
2009075736.tif 000007
【図６】
2009075736.tif 000008
【図７】
2009075736.tif 000009
【図８】
2009075736.tif 000010
【図９】
2009075736.tif 000011
【図１０】
2009075736.tif 000012
【図１１】
2009075736.tif 000013
【図１２】
2009075736.tif 000014
【図１３】
2009075736.tif 000015